(57)【要約】【課題】  従来技術のものは、ニット布地を重ねてマスク本体を形成し、中央部に空間を形成してなるもので、本発明のような一般に市販されている平面状のマスクに使用できるものではない。  また、別の従来技術も、鼻部と口部を別々に覆う一つの立体マスクであり、これもまた、本発明のような一般に市販されている平面状のマスクに使用できるものではない。【解決手段】  マスク装着時におけるマスク内に着脱自在に設けるべく、少なくとも鼻の周辺に空間を形成すべく、空間部を形設したことを特徴とする。【選択図】図１
2022000547.tif 000002
【特許請求の範囲】
【請求項１】
マスク装着時におけるマスク内に着脱自在に設けるべく、少なくとも鼻の周辺に空間を形成すべく、空間部を形設したことを特徴とするマスク用空間形成枠。
【請求項２】
薄平板による枠本体の中央部付近に前記空間部を形設したことを特徴とする請求項１記載のマスク用空間形成枠。
【請求項３】
前記枠本体に、折目を形設してなることを特徴とする請求項１又は２記載のマスク用空間形成枠。
【請求項４】
前記枠本体に、頬当部を形設したことを特徴とする請求項１、２又は３記載のマスク用空間形成枠。
【請求項５】
前記空間部の両側に、流入孔を形設したことを特徴とする請求項１、２、３又は４記載のマスク用空間形成枠。
【請求項６】
前記枠本体にマスクの内に貼り付けるべく、固着部を設けたことを特徴とする請求項１、２、３、４又は５記載のマスク用空間形成枠。
【請求項７】
前記枠本体の内側に肌と接触する部分に保護するための保護パットを設けてなることを特徴とする請求項１、２、３、４、５及び６記載のマスク用空間形成枠。
【請求項８】
前記マスク用空間形成枠の外側に紐を設けないマスクを形設してなることを特徴とするマスク付空間形成枠。
【請求項９】
前記枠本体の後部に、こめかみに押圧固着すべく、押圧固着部を形設してなることを特徴とする請求項８記載のマスク付空間形成枠。
【請求項１０】
前記押圧固着部に、指圧具を設けてなることを特徴とする請求項９記載のマスク付空間形成枠。
【請求項１１】
前記枠本体の後部に、メガネのフレームに取り付ける取付部を設けてなることを特徴とする請求項８、９及び１０記載のマスク付空間形成枠。
【発明の詳細な説明】
【技術分野】
【０００１】  本発明は、一般に市販売されているマスク内側に取り付け、少なくとも鼻の周辺に空間部を形成するマスク用空間形成枠及び耳に引っ掛ける紐をなくしたマスク付空間形成枠に関するものである。
【背景技術】
【０００２】  従来技術として、本願抗ウイルス性マスクは、抗ウイルス剤を施したニット布地と、抗ウイルス剤を施さないニット布地との２層以上の布地から成り、鼻部、下顎部、左右の両耳介部を覆う形態で、表側に抗ウイルス薬剤を施したニット布地を、前記鼻部及び前記下顎部と接する内側には抗ウイルス薬剤を施さないニット布地を重ねてマスク本体を形成する。該マスク本体には、鼻頂部、左内耳介部、下顎部、右内耳介部を結ぶ周縁に沿ってニット布地で一定厚みの縁取を形づくる枠体を形成し、中央部には、鼻下及唇部を覆って空間を形づくる非伸縮性の接合部を形成したことを特徴とするものがある。（特許文献１参照）【０００３】  また、別の従来技術として、鼻部を覆う立体マスクは、鼻の鼻背を覆い鼻の高さと角度に対応する接合部と、更に折込みギャザーを設けて鼻の高さと鼻部の空間を広げ、又、隙間の生じやすい鼻部から両頬にかけて、鼻部を覆う立体マスクの内面縁部全体に細長パッドを設け、更に細長パッドが肌に密着するよう形状固定材と太目の耳かけ紐が設けられ、又、口部を覆う立体マスクは、鼻部を覆う立体マスクとの適切な位置と角度の接合部で接合されて、鼻部と口部を仕切る調節カバーが設けられ、この調節カバーの閉まりを調節する調節紐が太目の耳かけ紐に取付けられてなる、鼻部と口部を別々に覆う一つの立体マスクがある。（特許文献２参照）
【特許文献１】特開２０１７−１０１３７４号公報
【特許文献２】実用新案登録第３２０７８４２号公報
【発明の開示】
【発明が解決しようとする課題】
【０００４】  前記前者のものは、ニット布地を重ねてマスク本体を形成し、中央部に空間を形成してなるもので、本発明のような一般に市販されている平面状のマスクに使用できるものではない。【０００５】  また、前記後者は、鼻部と口部を別々に覆う一つの立体マスクであり、これもまた、本発明のような一般に市販されている平面状のマスクに使用できるものではない。【０００６】  本発明は、このような従来の構成が有する問題を解決しようとするもので、前記のような専用マスクではなく、一般の平面状のマスクの内側に着脱自在に設け、自分の顔の形状に合わせて成形でき、かつ、少なくとも鼻の周囲の空間を形設できるため、呼吸が楽で、確実にフィットするマスク用空間形成枠及びマスク付空間形成枠を提供することを目的とする。
【課題を解決するための手段】
【０００７】  本発明は、上記目的を達成するために、マスク装着時におけるマスク内に着脱自在に設けるべく、少なくとも鼻の周辺に空間を形成すべく、空間部を形設したこと。薄平板による枠本体の中央部付近に前記空間部を形設したこと。前記枠本体に、折目を形設してなること。前記枠本体に、頬当部を形設したこと。前記空間部の両側に、流入孔を形設したこと。前記枠本体にマスクの内に貼り付けるべく、固着部を設けたこと。保護パットを設けたこと。前記マスク用空間形成枠の外側に紐を設けないマスクを形設してなること。枠本体の後部に押圧固着部を設けたこと。指圧具を設けたこと。メガネのフレームに取り付ける取付部を設けたことを特徴とする。ｊ
【発明の効果】
【０００８】１）、少なくとも鼻の周囲に空間を形成すべく、空間部を設けることにより、特に一般に市販されている平面状のマスクに対応でき、呼吸が楽になり、かつ、暑くならずムレない。
２）、薄平板による枠本体に中央付近に空間部を形設することにより、使用しやすい。
３）、枠本体に折目を入れることにより折曲して自分の顔にフィットするよう成形できる。
４）、頬当部により、移動（ズレ）することなく使用できる。
５）、流入孔により、より外気をマスク内に流入でき、暑さを軽減できる。
６）、保護パットにより、肌に当たる所を保護でき、肌を傷つけることがない。
７）、マスク用空間形成枠に紐なしマスクを付設することにより、耳に負荷が掛からず、頬当部にて確実に顔を適宜押圧し、ズレることなく、スッキリしたマスクとして使用できる。
８）、こめかみに、押圧固着する押圧固着部により、より確実に下方へのズレを防止できる。
９）、指圧具により、こめかみを刺激し、特に目の疲れ等に効果がある。
１０）、取付部にメガネのフレームを取り付けることにより、より一層確実に下方へのズレを防止できる。
【図面の簡単な説明】
【０００９】
【図１】  本発明の第１実施例を示すマスク用空間形成枠の正面図。
【図２】  本発明の第１実施例を示すマスク用空間形成枠の折曲した使用平面図。
【図３】  本発明の第１実施例を示すマスク用空間形成枠の折曲した使用側面図。
【図４】  本発明の第２実施例を示すマスク用空間形成枠の側面図。
【発明を実施するための最良の形態】
【００１０】  マスク用空間形成枠１は、薄平板（例えば、ポリプロピレン樹脂等）による枠本体２の中央付近に少なくとも鼻の周囲に空間Ｋを形成すべく、通孔による空間部３を形設すると共に、両側に側方より空気が流入する流入孔４を形設し、両側端に頬当部５・５を設けてある。
また、空間部３の上部及び下部に自分の顔にフィットさせるべく折曲のための折目３ａ―――及び折目３ｂ―――を形設してある。
さらに、同様の目的で流入孔４の上部及び下部に折目４ａ―――及び折目４ｂ―――を形設してある。
さらにまた、頬当部５の外側に向かって同様な折目５ａ―――及び折目５ｂ―――を形設してある。必要に応じて枠本体２の適所に、マスクの内側に固着するための両面テープ（図示せず）を設けてある。なお、必要に応じて枠本体２の内側両側に肌と接触する部分を保護する保護パット７（例えば、ポリエステル吸水ポリマー繊維等）を設けてもよい。（図１）【００１１】  つぎに、マスク用空間形成枠１の使用例について説明する。
まず、マスク用空間形成枠１における各折目３ａ・３ｂ・４ａ・４ｂ・５ａ・５ｂの必要箇所を折り曲げ、空間Ｋを形成すると共に、自分Ｇの顔ＫＯにフィットするように形成した後、一端顔ＫＯから外し、一般に市販されている平面状のマスクＭの内側に両面テープ（図示せず）に固着し、再度顔ＫＯに取り付けて使用する。
この状態で使用することにより、空間部Ｋにより空気がこもることがなくなるため、息苦しさや暑さを軽減できる。
また、流入孔４によりマスクＭを通し外気が入り、より熱がこもらない。
この時、頬当部５は頬Ｈに当接することにより、ズレ止めになる。なお、必要に応じて折目３ａや折目３ｂを内側に曲げて使用することも一考です。（図２・図３）【００１２】  つづいて、第２実施例のマスク付空間形成枠６について説明する。
前記マスク用空間形成枠１と同形のマスク用空間形成枠２１の外側に紐のないマスクＭ１を形成してある。
このマスクＭ１は不織布や布で加工するもので、マスク用空間形成枠２１の形状にフィットすべく固着してある。【００１３】  このマスク付空間形成枠６は、特に頬当部２５は強固に頬を押圧するように形成するのがポイントとなる。
また、頬当部２５の内側にスベリ止め用のパット（保護パット７）を設けてもよい。
なお、枠本体２２の後部上端にこめかみに押圧固着する押圧固着部８を一体に形設するのも一考で、内側に磁石やセラミックボールによる指圧具９を設けてもよい。
さらに、メガネのフレームに差し込んで取り付けるべく、リング状の取付部１０を設けてもよい。【００１４】  上記各実施例において、マスク用空間形成枠の材質はＰＰやＰＥ等、特に限定するものではない。
また、厚みも硬さ（バネ力）により決めればよく、０．１ｍｍ〜１ｍｍ位が適当である。
さらに、形状（形態）においても、同様な機能であれば、特に限定しない。
さらにまた、押圧固着部の形状や指圧具の材質、取付部の形態等、特に限定するものではない。
【符号の説明】
【００１５】１―――マスク用空間形成枠
２―――枠本体
３―――空間部
４―――流入孔
５―――頬当部
Ｋ―――空間
Ｇ―――自分
Ｍ―――マスク
６―――マスク付空間形成枠
７―――保護パット
８―――押圧固着部
９―――指圧具
１０―――取付部
【図１】
2022000547.tif 000003
【図２】
2022000547.tif 000004
【図３】
2022000547.tif 000005
【図４】
2022000547.tif 000006